(57)【要約】【課題】  調乳ポットを加熱して調乳ポット内の水から湯を生成した後、迅速にこの湯を適温まで冷却することができる調乳ポット加熱装置を提供する。【解決手段】  調乳ポット加熱装置１０は、ケース１１と、ケース１１内に配置され、調乳ポット３０が載置される熱板１２とを有している。熱板１２上に調乳ポット３０が載置され、調乳ポット３０が熱板１２により加熱されると、調乳ポット３０内の水から沸騰水が生成される。このとき水の温度上昇率に基づいて制御機構３５により水量が求められる。制御機構３５は水量に基づいて最適冷却時間を求め、この最適冷却時間に基づいて冷却ファン１３を回転させ、空気取入口１８から流入する空気によって調乳ポット３０を冷却する。【選択図】  図１
2005110938.tif 000002
【特許請求の範囲】
【請求項１】
調乳ポットを加熱する調乳ポット加熱装置であって、ケースと、ケース内に配置され、水が充てんされた調乳ポットが載置される熱板と、ケース内に配置され、調乳ポットを冷却する冷却ファンと、を備えた調乳ポット加熱装置の運転方法において、
調乳ポット内の水を熱板を作動させて加熱する加熱工程と、
熱板の作動を切って調乳ポット内の水を冷却ファンにより冷却する冷却工程と、
熱板を作動させて調乳ポット内の水を保温する保温工程と、
を備えたことを特徴とする調乳ポット加熱装置の運転方法。
【請求項２】
加熱工程における調乳ポット内の水の温度上昇率に基づいて水量を求め、この水量に基づいて冷却工程における最適冷却時間を求める工程を更に備え、
冷却工程において、この最適冷却時間に基づいて冷却ファンを作動させることを特徴とする請求項１記載の調乳ポット加熱装置の運転方法。
【発明の詳細な説明】
【技術分野】
【０００１】
本発明は哺乳ビン中で調乳するための湯を短時間で得るための調乳ポット加熱装置の運転方法に関する。
【背景技術】
【０００２】
従来より哺乳ビン中で調乳するための湯を得るため、調乳ポット加熱装置が用いられている。このような調乳ポット加熱装置を用いる際、まず調乳ポット内に水が充てんされ、次に調乳ポットが調乳ポット加熱装置に載置されて加熱され、湯が生成される。
【発明の開示】
【発明が解決しようとする課題】
【０００３】
従来の調乳ポット加熱装置において、水中のカルキ分を取除くため調乳ポット内の水が加熱されて沸騰する。次に調乳ポットが自然冷却され、調乳ポット内の湯を適温まで冷却している。
【０００４】
しかしながら調乳ポット内の湯を沸騰させてから適温まで冷却するまでに時間がかかるのが実情である。
【０００５】
本発明はこのような点を考慮してなされたものであり、調乳ポット内において湯を迅速に得ることができ、かつこの湯を適温まで容易に冷却することができる調乳ポット加熱装置の運転方法を提供することを目的とする。
【課題を解決するための手段】
【０００６】
本発明は、調乳ポットを加熱する調乳ポット加熱装置であって、ケースと、ケース内に配置され、水が充てんされた調乳ポットが載置される熱板と、ケース内に配置され、調乳ポットを冷却する冷却ファンと、を備えた調乳ポット加熱装置の運転方法において、調乳ポット内の水を熱板を作動させて加熱する加熱工程と、熱板の作動を切って調乳ポット内の水を冷却ファンにより冷却する冷却工程と、熱板を作動させて調乳ポット内の水を保温する保温工程と、を備えたことを特徴とする調乳ポット加熱装置の運転方法である。
【０００７】
本発明は、加熱工程における調乳ポット内の水の温度上昇率に基づいて水量を求め、この水量に基づいて冷却工程における最適冷却時間を求める工程を更に備え、冷却工程において、この最適冷却時間に基づいて冷却ファンを作動させることを特徴とする調乳ポット加熱装置の運転方法である。
【発明の効果】
【０００８】
本発明によれば、熱板により調乳ポット内の水を沸騰させた後、冷却ファンを用いて調乳ポットを冷却することにより、調乳ポット内の湯を迅速に適温まで冷却させることができる。このため調乳作業の迅速化を図ることができる。
【発明を実施するための最良の形態】
【０００９】
以下、図面を参照して本発明の実施の形態について説明する。
【００１０】
図１乃至図３は本発明による調乳ポット加熱装置の運転方法の一実施の形態を示す図である。
【００１１】
図２に示すように、本発明による調乳ポット加熱装置１０は、載置された調乳ポット３０内の水を加熱して沸騰させるものである。
【００１２】
このような調乳ポット３０は、ガラス製のポット本体３１と、ポット本体３１を開閉自在に覆うカバー３３と、取手３２とを有し、ポット本体３１内に充てんされた水を沸騰させ、水中のカルキ分を除去して湯を生成するようになっている。ポット本体３１内で生成された湯は、適温まで冷却され、図示しない哺乳ビン中へ充てんされ、哺乳ビン中に入れられた粉ミルクとともに混合してミルクを生成する（調乳）。
【００１３】
次に調乳ポット加熱装置１０について詳述する。調乳ポット加熱装置１０はケース１１と、ケース１１内に配置され調乳ポット３０のポット本体３１を載置する熱板１２と、ケース１１内に配置されポット本体３１を冷却する冷却ファン１３とを備えている。
【００１４】
このうち、ケース１１の外側本体はＰＣ製となっており、またケース１１は熱板１２を周囲から囲むＰＰＳ製の耐熱カバー１１ａを有している。耐熱カバー１１ａはケース１１の内壁として機能し、耐熱カバー１１ａと熱板１２との間には、空気通路２３が形成されている。またケース１１の底部１１ｂには、多数の空気取入口１８が形成されている。
【００１５】
さらに冷却ファン１３は、ファンカバー１３ｂと、ファンカバー１３ｂにより回転自在に支持されたファン１３ａとを有し、ファン１３ａを回転させることにより、空気取入口１８から外部の空気を取入れ、この空気を空気通路２３を経て調乳ポット３０のポット本体３１の外壁へ送り込んでポット本体３１を冷却するようになっている。
【００１６】
冷却ファン１３のファンカバー１３ｂはケース１１の底部１１ｂにより支持され、底部１１ｂの支持リブ１９にボルト２０によって固定されている。また熱板１２はファンカバー１３ｂの上部に支持体２２を介して支持されるとともに、支持体２２はファンカバー１３ｂ上部にボルト２１により固定され、また熱板１２の下部にボルト２５により固定されている。
【００１７】
なお、熱板１２はアルミニウム製となっており、また熱板１２内には、ニクロム線からなるヒータ１２ａが埋込まれている。
【００１８】
さらに熱板１２の略中央部には、温度センサ１５がスプリング１５ａにより弾性保持されており、熱板１２上にポット本体３１を載置した場合に温度センサ１５がポット本体３１に当接して、ポット本体３１の温度を検出するようになっている。この場合、後述する制御機構３５は、温度センサ１５からの検出信号に基づいて、ポット本体３１内の水温を求める。
【００１９】
また、冷却ファン１３のファン１３ａおよび熱板１２のヒータ１２ａは、この制御機構３５により駆動制御されるようになっている。
【００２０】
次に調乳ポット加熱装置の運転方法について図３により説明する。まず調乳ポット３０のポット本体３１内に水が充てんされ、ポット本体３１が熱板１２上に載置される。この時、制御機構３５はヒータ１２ａおよびファン１３ａをＯＦＦとしておく。
【００２１】
次にスタートボタン３５ａがＯＮとなり、制御機構３５により熱板１２のヒータ１２ａがＯＮとなり、熱板１２が加熱される。ヒータ１２ａは例えば７００Ｗヒータからなり、熱板１２を４５０℃近傍まで加熱することができる。このとき制御機構３５は、温度センサ１５からの検出信号の異常の有無を確認する。すなわち加熱によりポット本体３１の温度が異常上昇した場合、空焚きと判断して、直ちにヒータ１２ａをＯＦＦの状態とする。
【００２２】
また制御機構３５はポット本体３１内の水の温度上昇率に基づいて、ポット本体３１内の水量を求める。具体的には、水の温度上昇率に基づいて、ポット本体３１内の水量を例えば(1)２００−４００ｍｌ、(2)５００−６００ｍｌ、(3)７００−８００ｍｌの３つのパターンのいずれかのパターンに組込む。
【００２３】
ヒータ１２ａにより熱板１２が加熱されると、これに伴なってポット本体３１も加熱され、ポット本体３１内の水が沸騰して湯を生成する。制御機構３５は水が沸騰した場合にヒータ１２ａを停止し、この状態を３〜４分間保つことにより、水中のカルキ分を適切に除去することができる。
【００２４】
その後、制御機構３５は冷却ファン１３のファン１３ａを回転させる。この場合、ケース１１の底部１１ｂに設けられた空気取入口１１ｂから空気が取入れられる。空気取入口１１ｂから取入れられた空気はファン１３ａにより上方へ送られ、熱板１２と耐熱カバー１１ａとの間の空気通路２３を経てポット本体３１の外壁を冷却する。
【００２５】
このように冷却ファン１３によりポット本体３１を冷却することにより、ポット本体３１内の湯を調乳に適した温度（例えば５５℃）まで冷却する。
【００２６】
この場合、制御機構３５は、予め定めた３つの水量パターン(1)(2)(3)に基づいて、最適冷却時間を定めており、この最適冷却時間に基づいて、冷却ファン１３を作動させる。
【００２７】
このとき、水量が(1)２００−４００ｍｌの場合に冷却時間を１０分間とし、(2)５００−６００ｍｌの場合に１２分間とし、(3)７００−８００ｍｌの場合に１５分間と定める。
【００２８】
本実施の形態によれば、冷却ファン１３によりポット本体３１を強制的に冷却するので、ポット本体３１内の湯を沸騰温度（１００℃）から５５℃まで１０分程度で冷却することができる。この場合、冷却ファン１３による冷却時間を水量に基づいて最適値に定めることができるので、迅速かつ正確に所望の温度（５５℃）までポット本体３１内の水を冷却することができる。
【００２９】
その後、温度センサ１５からの信号に基づいて、制御機構３５によりヒータ１２ａをＯＮ／ＯＦＦさせ、ポット本体３１中の湯温を５５℃付近に保つ。
【００３０】
この間、必要に応じて調乳ポット３０が熱板１２から取外され、ポット本体３１内の湯が哺乳ビン（図示せず）内に注がれ、哺乳ビン内において粉ミルクと湯とが混合してミルクが生成される。
【００３１】
以上のように本実施の形態によれば、調乳ポット３０のポット本体３１内の水を沸騰させてカルキ分を除去させた後、冷却ファン１３を用いてポット本体３１を冷却させることにより、ポット本体３１内の湯を迅速に適温（５５℃）まで冷却させることができる。このため哺乳ビンによる調乳作業も迅速に行なうことができる。
【図面の簡単な説明】
【００３２】
【図１】本発明による調乳ポット加熱装置の運転方法の一実施の形態に用いる調乳ポット加熱装置を示す側断面図。
【図２】調乳ポット加熱装置と調乳ポットとを示す図。
【図３】調乳ポット加熱装置の運転方法を示すフローチャート。
【符号の説明】
【００３３】
１０  調乳ポット加熱装置
１１  ケース
１１ａ  耐熱カバー
１２  熱板
１２ａ  ヒータ
１３  冷却ファン
１３ａ  ファン
１３ｂ  ファンカバー
１５  温度センサ
１８  空気取入口
２３  空気通路
３０  調乳ポット
３１  ポット本体
３５  制御機構
【図１】
2005110938.tif 000003
【図２】
2005110938.tif 000004
【図３】
2005110938.tif 000005